(57)【特許請求の範囲】
【請求項１】
外気を室内に取り入れる流入口が形成された部屋に隣接し、外気が通る通路中の天井の一部に前記通路の他の部分の天井よりも上方に突出し、天井位置が同一階における他の部屋よりも高く形成された高い換気用天井を有する部屋が設けられ、
前記通路は複数の部屋に跨って形成され、かつ各部屋に設けられたドアとは別に設けられた開口を含んで形成されており、
前記流入口から前記開口を介して流入されて、前記換気用天井に溜まった空気を排出する排気口が設けられた建物の前記開口に設けられる回転窓であって、
前記取付部材は回転窓本体の側面から突出して設けられる軸部と、係合用突起とを有し、
前記受け部材は前記軸部を受ける軸受けと、前記軸受けを中心とする円周上に配置されて、前記係合用突起が係合可能な複数の係合部とを有し、
前記取付部材の係合用突起が係合される前記受け部の係合部を変えることで、回転窓本体が回動可能にかつ所定角度で係止可能とされ、
前記取付部材は回転窓本体の側面から突出する方向にバネで付勢されており、前記回転窓本体の側面に対して突出した軸部の高さが係合用突起の高さよりも高い
ことを特徴とする回転窓。
【発明の詳細な説明】
【０００１】
【発明の属する技術分野】
本発明は、自然換気を行うことができる建物に設けられた回転窓に関する。
【０００２】
【背景技術】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
このような高気密・高断熱建物では、屋内外の空気の出入りを遮断しているため、当該建物の換気を十分に行う必要がある。
そこで、高気密・高断熱建物の換気を行うために、当該建物内における居室等の仕切られた複数の空間をまとめて換気するセントラル換気装置が利用されている（特開平１１−３４４２５３号公報参照）。
【０００３】
しかし、このような換気装置を用いると換気装置の設置にコストがかかる上、多くのエネルギーを消費するという問題があるため、換気装置を用いずに、自然換気を行うことができる建物が提案されている。
自然換気を行うためには外気を取り入れる流入口を確実に確保しなければならず、また、外気が通る通路が複数の部屋に跨って形成されている場合には、通路を確保するためにドア等とは別に開口を設ける場合がある。この開口には、所定角度で固定された横板が間隔をおいて掛け重ねられたがらりが取り付けられ、常に空気が通気できるようになっている。
【０００４】
【発明が解決しようとする課題】
開口に取り付けられたがらりは、横板が所定角度で固定されているため、開口を閉めることができず、冷暖房時には、冷暖房効率が低下してしまうという問題があった。そこで、本発明者はこの開口に開閉可能な回転窓を取り付けることを考えた。
しかし、一般的な回転窓は開いた際に回転窓を支持するストッパーを窓枠に取り付けただけのものであるため、開く角度を調節できず、外気の流入量を調節できないという問題がある。
【０００５】
本発明の目的は、開く角度を調節できる回転窓を提供することである。
【０００６】
【課題を解決するための手段】
そのため、本発明は、以下の構成を採用して前記目的を達成しようとするものである。
請求項１記載の発明は外気を室内に取り入れる流入口１１０，１５０，１７０，２００，２７０，３００が形成された部屋に隣接し、外気が通る通路中の天井の一部に前記通路の他の部分の天井よりも上方に突出し、天井位置が同一階における他の部屋よりも高く形成された高い換気用天井１３５，２５５を有する部屋が設けられ、前記通路は複数の部屋を跨って形成され、かつ、各部屋に設けられたドア１１１，１２１Ａ，１２１Ｂ，１５１，２０１，２７１，３０１とは別に設けられた開口を含んで形成されており、前記流入口から前記開口を介して流入されて、前記換気用天井に溜まった空気を排出する排気口２５０Ｂ,２５２が設けられた建物１の前記開口に設けられる回転窓６であって、回転窓本体６０と、回転窓本体の両端に設けられる取付部材６１と、回転窓本体が取り付けられる窓枠に設けられる受け部材６２とを備え、前記取付部材は回転窓本体の側面から突出して設けられる軸部６１２と、係合用突起６１３とを有し、前記受け部材は前記軸部を受ける軸受け６２０と、前記軸受けを中心とする円周上に配置されて、前記係合用突起が係合可能な複数の係合部６２１とを有し、前記取付部材の係合用突起が係合される前記受け部の係合部を変えることで、回転窓本体が回動可能にかつ所定角度で係止可能とされ、前記取付部材は回転窓本体の側面から突出する方向にバネ６１１で付勢されており、前記回転窓本体の側面に対して突出した軸部の高さが係合用突起の高さよりも高いことを特徴とする。
ここで、流入口とは、屋外に面した部屋等に設けられ、外気を直接取り込むことができる開口を意味し、通常は建物の外壁に設けられた窓やドアで構成される。
通路は、複数の部屋に跨って形成されてもよく、一つの部屋内で形成してもよい。
排気口は、換気用天井に溜まった空気を屋外へ直接排出する窓等の開口でもよく、小屋裏等の非居室空間に排出するための開口でもよい。後者の開口から排出された空気は非居室空間を介して屋外へ排出される。
【０００７】
この構成の本発明によれば、受け部材の軸受けを中心としてその周囲に円状に複数の係合部が配置されているため、取付部材の係合用突起が係合する係合部を変えるだけで回転窓本体の開く角度を調節することができる。また、取付部材の係合用突起が受け部材の係合部に係合されることで、回転窓本体が固定されるため、回転窓を固定するために別途、部材を設ける必要がなく部材点数の削減を図ることができる。
【００１０】
そして、取付部材自体がバネで付勢されているため、回転窓本体の取り付け、取り外し時に、取付部材を反付勢方向に押し戻すことができるので、取付部材がじゃまにならず、回転窓本体の取り付け、取り外し作業が容易となる。また、軸部の高さが係合用突起の高さよりも高いため、取付部材に反付勢方向に力が働き、係合用突起が受け部材の係合部から外れた場合でも、軸部は軸受けから外れてしまうことなく、回転窓本体を回転することができる。
【００１２】
【発明の実施の形態】
以下、本発明の一実施の形態を図面に基づいて説明する。
図１には、本実施形態の建物１が示されている。この建物１は基礎２の上に構築された二階建ての建物本体３と、この建物本体３の上部に設けられた屋根４とを備えて構成される。
【００１３】
図２には、建物本体３の一階部分の間取りが示されている。図面手前（南側）の左側（西側）には玄関１０が設けられており、その北側はドア１１１を隔ててオフィス１１となっている。玄関１０及びオフィス１１の隣はホール１２Ａとなっている。一階部分中央（図面中央部分）にはホール１２Ａに隣接したリビング１３が設置され、リビング１３の南側にはサンルーム１４が、北側にはホール１２Ｂ及び二階部分につながる階段１８が、東側にはメインダイニング１５及びユーティリティールーム１６が設けられている。ユーティリティールーム１６の北側には、東及び北側の壁に外気の流入口である開閉可能な窓１７０が設けられたキッチン１７が設置されている。
【００１４】
さらに、図３及び図４をも参照して説明すると、オフィス１１の西側の壁には外気を取り入れるための流入口である窓１１０が取り付けられており、ドア１１１の上部には、窓１１０から入った外気を玄関１０に取り入れるための開口が設けられ、この開口には回転窓６が取り付けられている。また、ホール１２Ａからリビング１３へ通じるドア１２１Ａの上部にも回転窓６が取り付けられている。
【００１５】
メインダイニング１５の南及び東側の壁にも流入口である窓１５０が取り付けられており、窓１５０から取り入れた外気をリビング１３へ取り入れるための通路を確保するため、メインダイニング１５とリビング１３との間のドア１５１の上部にも回転窓６が設けられている。さらに、キッチン１７の開閉可能な窓１７０から入った外気をリビング１３に取り入れるため、キッチン１７と連通するホール１２Ｂからリビング１３へ通じるドア１２１Ｂの上部にも回転窓６が取り付けられている。
【００１６】
リビング１３は一階部分の中央に設けられており、一階部分の部屋のなかで他の部屋に接する面積が最も大きい部屋となっている。
リビング１３の天井の一部は一階部分の他の部屋等の天井に比べ上方に突出し、天井位置が高く形成された換気用天井１３５となっている。また、換気用天井１３５を支持する壁の上部で、二階部分のバルコニー２４Ｂに隣接して設けられた蔵２５の壁の下部には、窓２５０Ｂが設けられている。この窓２５０Ｂは開閉可能なガラス窓で、リビング１３の換気用天井１３５付近に溜まった暖かい外気の排出口となる。
リビング１３の天井の一部が換気用天井１３５となっており、リビング１３の上方に位置する部屋の床の高さは、二階部分の他の部屋の床よりも高くなっているため、荷物等を収納する蔵２５とされている。
【００１７】
一階部分に取り込まれた外気の通路について説明する。
オフィス１１の窓１１０から取り込まれた外気は、ドア１１１あるいは、その上部に設けられている回転窓６を通り、玄関１０及びホール１２Ａへ抜ける。さらに、この外気はドア１２１Ａあるいは、その上部に設けられている回転窓６を通り、リビング１３へ流れる。
メインダイニング１５の窓１５０から取り込まれた外気は、ドア１５１あるいはその上部の回転窓６を通り、リビング１３へ流れる。
キッチン１７の窓１７０から取り込まれた外気もホール１２Ｂを通り、ドア１２１Ｂあるいはその上部の回転窓６を通り、リビング１３へ流れる。
このようにリビング１３に溜まった空気はリビング１３の換気用天井１３５付近に集まり、窓２５０Ｂを開いておけば、窓２５０Ｂから排出される。
【００１８】
図５には建物本体３の二階部分の間取りが示されている。
図面手前（南側）の左側（西側）にはメインベッドルーム２０が設けられており、その北側はパウダールーム２１及び前室２８Ａ、さらにその北側は浴室兼サニタリールーム２２となっている。
浴室兼サニタリールーム２２の北側にはバルコニー２４Ａが取り付けられている。
メインベッドルーム２０及び前室２８Ａに隣接し、リビング１３の上方に当たる部分には蔵２５が設けられ、この蔵２５の北側はライブラリーホール２６、東側は個室２７及び前室２８Ｂとなっている。蔵２５は前室２８Ａ、２８Ｂから入ることができるようになっている。
【００１９】
蔵２５及びメインベッドルーム２０に南側にはバルコニー２４Ｂが取り付けられている。
前室２８Ｂに隣接して洗面所２９が設けられており、洗面所２９の東側にはバルコニー２４Ｃが取り付けられている。
洗面所２９及び前室２８Ｂの北側はセールスオフィス３０となっている。
ライブラリーホール２６の北側には一階からつながる階段１８が形成されており、階段１８の二階部分の壁には一階から流れてきた外気を排出するための窓１８０が設けられている。
【００２０】
一階部分と同様、図３及び図４をも参照して説明すると、メインベッドルーム２０にはバルコニー２４Ｂへつながり、外気の流入口となる窓２００が形成されている。窓２００からバルコニー２４Ｂへは出入り可能となっている。メインベッドルーム２０と前室２８Ａとの間のドア２０１の上部には窓２００から取り入れた外気を前室２８Ａ及び蔵２５に流すための開口が設けられ、この開口には回転窓６が取り付けられている。
【００２１】
同様に個室２７の南側及び東側の壁には外気を取り入れるための流入口としての窓２７０が設けられており、この外気を前室２８Ｂ及び蔵２５に取り入れるため、前室２８Ｂにつながるドア２７１の上部には回転窓６が取り付けられている。また、個室２７の天井の一部は吹抜けになっており、この吹抜けの上部の屋根４にはトップライト４０が取り付けられている。
さらに、セールスオフィス３０の東及び北側の壁には外気の流入口として窓３００が設けられ、前室２８Ｂにつながるドア３０１の上部には図示しないが回転窓６と同様の回転窓が取り付けられている。
ライブラリーホール２６と蔵２５とを隔てる壁の上部には、メインベッドルーム２０、個室２７、セールスオフィス３０から入った外気を蔵２５に取り入れるための回転窓６が取り付けられている。
【００２２】
蔵２５にはバルコニー２４Ｂに面して窓２５０Ａが取り付けられている。
蔵２５の天井と屋根４との隙間には小屋裏５が形成されており、蔵２５の天井のうちライブラリーホール２６側の天井は換気用天井２５５となっている。この換気用天井２５５を支持するの壁の上端部には、小屋裏５と連通する排気口２５２が設けられている。屋根４の排気口２５２の上方部分には、屋根４から上方へ突出し、小屋裏５と連通して、排気口２５２から排気された空気を屋外へ排気するための排気塔８が設けられている。
この排気塔８は、断面矩形形状であり、小屋裏５と連通した筒状の排気塔本体８０と、小屋裏５からの空気が排気される排気塔本体８０の開口及び排気塔本体８０の側面を覆うように設けられるカバー８１とを有している。このカバー８１は底面が開口した箱形形状であり、排気塔本体８０の開口及び側面とカバー８１との間には空気が排出される隙間が形成されている。また、カバー８１の側面には、その周方向に沿って複数本の通気孔８１２が形成されており、各通気孔８１２の上部には下向きのルーバ８１３が設けられている。排気口２５２から排気された空気は、排気塔本体８０を通り、排気塔本体８０の開口及び側面とカバー８１との間の隙間を通って通気孔８１２から排出される。
【００２３】
二階部分の外気の通路について説明する。
メインベッドルーム２０のバルコニー２４Ｂ側の流入口としての窓２００から取り込まれた外気は、ドア２０１あるいは、その上部に設けられる回転窓６を通り、前室２８Ａあるいはライブラリーホール２６へ抜ける。前室２８Ａに流れた空気は、前室２８Ａから蔵２５へ入る入り口を通って、蔵２５に流入される。
個室２７の外気の流入口である窓２７０から取り込まれた外気は、ドア２７１あるいは、その上部に設けられている回転窓６を通り、前室２８Ｂあるいはライブラリーホール２６へ抜ける。前室２８Ｂに流れた空気は、前室２８Ｂから蔵２５へ入る入り口を通って、蔵２５に溜まる。
ライブラリーホール２６へ抜けた外気はライブラリーホール２６と蔵２５とを隔てる壁の上部の回転窓６を介して、蔵２５へ流れる。
【００２４】
蔵２５に流入された空気のうち、暖かい空気は換気用天井２５５付近に集まり、小屋裏５と連通する排気口２５２から排出される。排気口２５２から排出された空気は小屋裏５を通り、排気塔８から屋外へ排気される。
なお、一階部分から階段１８を通り二階部分へあがってきた外気は階段１８の窓１８０から排気される。
【００２５】
図６に、ホール１２Ａからリビング１３へ通じるドア１２１Ａの上部に設けられた回転窓６を示す。回転窓６は横軸回転窓であり、ドア１２１Ａの上部に設けられた窓枠７に二枚取り付けられている。
図７に示すように、回転窓６は平面矩形形状の回転窓本体６０と、この回転窓本体６０の長手方向両端部側面に設けられ、窓枠７に回転窓本体６０を取り付けるための取付部材６１と、窓枠７に設けられ、取付部材６１を受けるための受け部材６２と、窓枠７に取り付けた回転窓本体６０を取り外すための取り外し金具６３（図８参照）とを備える。
【００２６】
回転窓本体６０の長手方向の両端部側面には取付部材６１を取り付け、嵌め込むためのはめ込み穴６０１が形成されている。
取付部材６１は直方体形状の本体６１０と、この本体６１０の一方の側面から突出して取り付けられるバネ６１１と、この一方の側面に対向する他方の側面から突出して設けられる軸部６１２と、この軸部６１２と同様に他方の側面から突出して設けられ、軸部６１２を中心に対向配置される係合用突起６１３とを有する。突出する軸部６１２の本体６１０の他方の側面からの高さは係合用突起６１３の高さよりも高いものとなっている。
なお、回転窓本体６０のはめ込み穴６０１にはめ込んだ際、本体６１０はバネ６１１により受け部材６２の方向に付勢される。
【００２７】
受け部材６２は取付部材６１の直方体形状の本体６１０の他方の側面と略同じ大きさの四角形状のプレートである。この受け部材６２には、取付部材６１の軸部６１２が嵌め込まれる孔である軸受け６２０が形成されており、この軸受け６２０の周囲には取付部材６１の係合用突起６１３が係合する孔である係合部６２１が、軸受け６２０を中心とする円周上に配置されている。
係合部６２１は、回転窓本体６０を全開にした際に、取付部材６１の係合用突起６１３が位置する部分には設けられていない。
また、受け部材６２の四隅には受け部材６２を窓枠７に取り付けるためのねじ６４を挿入するねじ孔６２２が形成されている。
【００２８】
図８に取り外し金具６３を示す。取り外し金具６３は軸状の金属棒を折り曲げて形成したもので、回転窓本体６０に取り付けられた受け部材６２と取付部材６１の隙間に挿入される挿入部６３０と、この挿入部６３０の端部を直角に折り曲げて形成された垂直部６３１と、この垂直部６３１の端部を挿入部６３０に平行になるように垂直に折り曲げて形成された握り部６３２とを備える。
挿入部６３０の長さ寸法は回転窓本体６０の短辺方向の長さ寸法と略等しい。また、挿入部６３０には垂直部６３１と平行になるように所定の高さ突出した突出部分が形成されている。この突出部分は挿入部６３０を受け部材６２と回転窓本体６０に取り付けられた取付部材６１との隙間に差し込んだ際に、取付部材６１の本体６１０の他方の側面の側方に位置する部分に設けられている。突出部分の突出した高さ寸法は、軸部６１２の取付部材６１の本体６１０の他方の側面からの高さ寸法より大きくなっている。
【００２９】
回転窓６を窓枠７に取り付ける場合、予め、窓枠７に受け部材６２をねじ６４で固定しておく。次に、回転窓本体６０の側面に形成されたはめ込み穴６０１に、バネ６１１がはめ込み穴６０１の底面に当接するように取付部材６１を嵌め込む。最後に、受け部材６２の軸受け６２０及び係合部６２１に取付部材６１の軸部６１２及び係合用突起６１３をはめ込む。受け部材６２に取付部材６１がはめ込まれることにより、回転窓本体６０が窓枠７に取り付けられる（図９（Ａ）参照）。
【００３０】
回転窓６をあける際には、ホール１２Ａ側から回転窓本体６０をリビング１３方向へ押す。この力によって、バネ６１１に反付勢方向の力が働き、軸部６１２よりも高さの低い係合用突起６１３のみが係合部６２１から外れる。さらに、回転窓本体６０を押し続けると、係合用突起６１３が係合されていた係合部６２１の隣の係合部６２１に、係合用突起６１３が嵌り込む。これにより、再び、取付部材６１が受け部材６２に係合され、回転窓本体６０が窓枠７に所定角度で係止される。さらに大きく回転窓６を開きたいときはさらに、回転窓６を押し込み、他の係合部６２１に係合用突起６１３を係合させればよい。
【００３１】
図９に回転窓本体６０の取り外し方を示す。回転窓本体６０が受け部材６２に取り付けられている様子を図９（Ａ）に示す。この受け部材６２と回転窓本体６０の側面に取り付けられた取付部材６１との隙間に図９（Ｂ）に示すように、取り外し金具６３の挿入部６３０を突出部分が回転窓本体６０の長手方向端部側面に平行になるよう挿入する。つぎに、握り部６３２を持って、挿入部６３０の突出部分が取付部材６１の本体６１０の他方の側面に当接するように、取り外し金具６３を動かす。挿入部６３０の突出部分が本体６１０の他方の側面に当接すると、取付部材６１のバネ６１１に反付勢方向の力が働き、受け部材６２から取付部材６１の軸部６１２及び係合用突起６１３がはずれ、図９（Ｃ）に示すように窓枠７から回転窓本体６０を取り外すことができる。
【００３２】
従って、本実施の形態によれば、以下の効果を奏することができる。
建物１には外気を取り入れる流入口である窓１１０等及び排気口である窓２５０Ｂ等が設けられているため、建物１内部を外気が通り、換気装置を用いずに建物１内部の自然換気を行うことができ、省エネルギーを図ることができる。
また、蔵２５及びリビング１３の天井の一部は高く形成された換気用天井１３５、２５５であり、その近傍には排気口である窓２５０Ｂあるいは排気口２５２が設けられているため、暖かい空気は換気用天井１３５、２５５にたまり、窓２５０Ｂまたは排気口２５２から排気される。従って、建物１内部の空気の流れがよくなり、より効率的に自然換気を行うことができる。また、換気用天井１３５、２５５の下方の居住空間には暖かい空気は溜まらず、居住空間の快適化を図ることができる。
【００３３】
その三方が建物内部空間に接し、同一階における部屋のなかで他の部屋に接する面積が最も大きいリビング１３または、蔵２５の天井の一部が、他の部屋の天井よりも天井の高さ位置が高く形成された換気用天井１３５、２５５となっており、他の部屋の窓等から入った外気の多くは他の部屋以外の部屋を介さず、他の部屋から直接リビング１３または、蔵２５の換気用天井１３５、２５５付近に流入されるため、空気が通る通路の長さが短くてすみ、確実かつ効率的に換気することができる。
また、屋根４には小屋裏５と連通する排気塔８が設けられているおり、小屋裏５から排気塔８までの高さを十分に確保できるため、優れた煙突効果が得られるようになり、効率よく排気できる。
【００３４】
一階部分のリビング１３に設けられた排気口は、バルコニー２４Ｂが取り付けられる二階の壁に設けられた窓２５０Ｂであるため、メインベッドルーム２０からバルコニー２４Ｂへ出て、窓２５０Ｂを開閉することができ、特別な開閉手段を必要としないため、窓２５０Ｂの構造が簡単になる。
また、換気用天井１３５に流入された空気は、換気用天井１３５を支持する壁の上部に設けられている窓２５０Ｂから排出されるため、空気を排出するための配管等を設ける必要がなく、施工の煩雑化を防止することができる。
さらに、この窓２５０Ｂはガラス窓であるため、リビング１３の明かり取りにもなり、リビング１３の採光が良好となる。
個室２７の天井の一部は吹抜けになっており、この吹抜けの上部の屋根４にはトップライト４０が取り付けられており、このトップライト４０から太陽光が差し込むため、個室２７を明るい部屋とすることができる。
【００３５】
二階部分の蔵２５に設けられた排気口２５２は、蔵２５の天井と屋根４との間に設けられた小屋裏５へつながっており、排気口２５２から排出された空気は小屋裏５を通って屋外へ排気されるため、排気のための配管等を設ける必要がなく、施工の煩雑化を防止することができる。また、二階部分の空気は蔵２５に設けられた排気口２５２から排気されるので蔵２５内の換気が良好となり、収納物の保存状態を良好に維持できる。
【００３６】
一階部分のリビング１３の天井の一部を通路中の他の天井よりも天井高さ位置が高く形成された換気用天井１３５としたため、その上方に設けられる二階の部屋を蔵２５等の収納部として利用すれば、二階の部屋の天井の高さを高く形成する必要がないため、建物１の高さを高くしないですむ。
また、この二階の部屋の天井全体を換気用天井とし、高く形成すれば居室としても利用可能である。
【００３７】
階段１８の二階部分の壁に窓１８０を設けたため、一階部分から階段１８を通り二階部分へあがってきた暖かい空気を二階部分内部まで通さずに窓１８０から排気することもでき、二階部分の居住スペースの快適化を図ることができる。
また、通路は複数の部屋を跨って形成されており、通路中の部屋にはドアとは別に、その上部に回転窓６が設られているため、ドアを閉めた状態でも、外気が通る通路を確実に確保することができ、自然換気を行うことができる。
【００３８】
回転窓６は開閉可能であるため、冷暖房時には部屋を閉め切ることができ、冷暖房の効率を低下させることがない。
また、回転窓６において、受け部材６２の軸受け６２０を中心とする円周状に複数の係合部６２１が配置されているため、取付部材６１の係合用突起６１３が係合される係合部６２１を変えるだけで回転窓本体６０の開く角度を調節することができる。そのため、空気の流量を調節することができる。
【００３９】
さらに、取付部材６１の係合用突起６１３が受け部材６２の係合部６２１に係合されることで、回転窓本体６０が固定されるため、回転窓本体６０を固定するために別途、部材を設ける必要がなく部材点数の削減を図ることができる。
回転窓６の取付部材６１自体がバネ６１１で付勢されているため、回転窓本体６０の取り付け、取り外し時に、取付部材６１を反付勢方向に押し戻すことができるので、取付部材６１がじゃまにならず、回転窓本体６０の取り付け、取り外し作業が容易となる。
取付部材６１はバネ６１１で付勢されているため、回転窓本体６０を回転方向に力を加えれば、バネ６１１が反付勢方向に弾性変形し、係合用突起６１３と係合部６２１との係合が解除され、容易に回転窓本体６０を開くことができる。また、取付部材６１は受け部材６２の方向にバネ６１１で付勢されているため、係合用突起６１３を係合部６２１に、軸部６１２を軸受け６２０に確実に固定することができる。
【００４０】
取付部材６１の軸部６１２の高さが係合用突起６１３の高さよりも高いため、回転窓本体６０を回転させた際に、取付部材６１に反付勢方向に力が働いても、係合用突起６１３が受け部材６２の係合部６２１から外れるだけで、軸部６１２は軸受け６２０から外れず、回転窓本体６０が窓枠７から外れてしまうことがない。
回転窓本体６０を窓枠７からはずす際には、受け部材６２と取付部材６１との隙間に、取り外し金具６３の挿入部６３０を挿入し、挿入部６３０の突出部分を取付部材６１の上面に当接させて、受け部材６２から取付部材６１をはずせばよいので、容易に回転窓本体６０を取り外すことができる。これにより回転窓本体６０や窓枠７のそうじが容易になる。
【００４１】
排気塔８のカバー８１の通気孔８１２の上部に下向きのルーバ８１３を設けたため、悪天候の場合、屋外から風雨の建物内部への浸入を防止することができる。
【００４２】
なお、本発明は前述の実施の形態に限定されるものではなく、本発明の目的を達成できる範囲での変形、改良等は本発明に含まれるものである。
例えば、前記実施形態では建物１の一階部分のリビング１３の天井を換気用天井１２５とし、窓２５０Ｂから外気を排出するものとしたが、他の部屋の天井を換気用天井とし、その天井付近に排出口を設けてもよい。
【００４３】
また、前記実施形態では、外気が通る通路は各部屋に設けられたドアとは別に形成された開口である回転窓６を含んで形成されているとしていたが、本発明ではドアをあけて通路を形成してもよい。さらに、開口には回転窓６を取り付けたが、開口に回転窓を設けず、開口そのままでもよい。また、回転窓６に限らず、引き違い窓等の開閉可能な窓を設けてもよい。
また、外気が通る通路は複数の部屋を跨って形成されるとしたが、これに限らず、一つの部屋内で通路を形成してもよい。この場合には、換気用天井を各部屋に適宜設け、部屋ごとに効率的な自然換気を行えばよい。ただし、前記実施形態のように、複数の部屋に跨って通路を形成すれば、換気用天井や排気口を最小限に押さえることができ、施工もより容易にできる利点がある。
【００４４】
前記実施形態では、一階部分のリビング１３に設けられた排気口は、バルコニー２４Ｂが取り付けられる二階の壁に設けられた窓２５０Ｂとしたが、バルコニー２４Ｂが取り付けられる二階の壁に限らず、屋外に面している壁に排気口を設けてもよい。さらには、壁内部に排気用の空間を設け、この空間に連通する排気口を設けることで、壁を利用して排気してもよい。
また、一階部分に換気用天井を設けず、階段１８を介して二階部分へ空気を送り、二階部分から屋外へ排出してもよい。
【００４５】
前記実施形態では、回転窓６の回転窓本体６０を全開にした際に、受け部材６２の取付部材６１の係合用突起６１３が位置する部分には係合部６２１は設けられていないものとしたが、この部分に係合部６２１を設けてもよい。
また、受け部材６２の回転窓本体６０の全閉時に係合用突起６１３が位置する部分に、係合部６２１を設けないものとしてもよい。このようにすれば、回転窓本体６０を閉めた際に、係合用突起６１３が係合部６２１に係合されていないので、小さな力で回転窓本体６０を押すだけで容易に回転窓本体６０を回転させることができる。
【００４６】
前記実施形態では取付部材６１の本体６１０の一方の側面にバネ６１１を取り付けていたが、軸部６１２及び係合用突起６１３の下部にバネを取り付けてこれらを直接付勢してもよい。また、係合用突起６１３のみをバネで付勢してもよい。このようにすれば、軸部６１２が軸受け６２０から外れてしまうおそれがない。さらに、軸部のみをバネで付勢してもよい。
付勢する手段をバネとしていたが、これに限らず、弾性を有するものであればよく、係合用突起６１３をゴム等で形成してもよい。
【００４７】
また、取付部材６１の本体６１０の一方の側面にバネ６１１を取り付けていたが、バネで付勢せず、手動で軸部６１２または係合用突起６１３自体を本体６１０の他方の側面から出没させることができる構造としてもよい。このようにすれば、回転窓本体６０の取り付け時等に、予め軸部６１２及び係合用突起６１３を本体の他方の側面に没入させておくことができるので、取り付け作業がより容易となる。
さらに、前記実施形態では、回転窓本体６０は窓枠７から取り外し可能であるとしたが、軸受け６２０に軸部６１２を組み込んでしまい、軸部６１２が軸受け６２０から外れないものとしてもよい。
【００４８】
屋根４に排気塔８を設け、二階部分の蔵２５に形成された排気口２５２から排出された空気を排気塔８から排出するとしたが、屋根４の棟部に隙間を設けて、棟部から排出するものとしてもよい。このようにすれば、排気塔８を取り付ける手間を省くことができる。
また、排気塔８は断面矩形形状であるとしたが、この形状に限らず、円柱状等でもよい。さらに、排気塔８の排気塔本体８０の上部にはカバー８１を設けたが、排気塔本体８０だけでも建物内部に雨水等が浸入しないようであれば、カバー８１はなくてもよい。
【００４９】
【発明の効果】
請求項１記載の発明によれば、受け部材の軸受けを中心としてその周囲に円状に複数の係合部が配置されているため、取付部材の係合用突起が係合する係合部を変えるだけで回転窓本体の開く角度を調節することができる。また、取付部材の係合用突起が受け部材の係合部に係合されることで、回転窓本体が固定されるため、回転窓を固定するために別途、部材を設ける必要がなく部材点数の削減を図ることができる。
【００５２】
そして、取付部材自体がバネで付勢されているため、回転窓本体の取り付け、取り外し時に、取付部材を反付勢方向に押し戻すことができるので、取付部材がじゃまにならず、回転窓本体の取り付け、取り外し作業が容易となる。また、軸部の高さが係合用突起の高さよりも高いため、取付部材に反付勢方向に力が働き、係合用突起が受け部材の係合部から外れた場合でも、軸部は軸受けから外れてしまうことなく、回転窓本体を回転することができる。
【図面の簡単な説明】
【図１】本発明の実施形態にかかる建物を示す斜視図である。
【図２】前記建物の一階部分の間取りを示す平面図である。
【図３】前記建物の断面図である。
【図４】図３とは異なる方向からみた前記建物の断面図である。
【図５】前記建物の二階部分の間取りを示す平面図である。
【図６】前記建物のホールからリビングへ通じるドア及びその上部に設けられた回転窓を示す斜視図である。
【図７】前記回転窓を示す斜視図である。
【図８】前記回転窓の取り外し金具を示す斜視図である。
【図９】前記回転窓の取り外し方を示す断面図である。
【符号の説明】
１                             建物
６                             回転窓
６０                           回転窓本体
６１                           取付部材
１１０，１５０，１７０，
２００，２７０，３００         窓
１１１，１２１Ａ，１２１Ｂ,
１５１，２０１，２７１，３０１ ドア
２５０Ｂ,２５２                排気口
６１２                         軸部
６１３                         係合用突起
６２０                         軸受け
６２１                         係合部
６１１                         バネ
【図１】
0004801859.tif 000002
【図２】
0004801859.tif 000003
【図３】
0004801859.tif 000004
【図４】
0004801859.tif 000005
【図５】
0004801859.tif 000006
【図６】
0004801859.tif 000007
【図７】
0004801859.tif 000008
【図８】
0004801859.tif 000009
【図９】
0004801859.tif 000010